(57)【要約】【課題】配置自由度を大幅に拡大することができ、施工性，リフォーム性に優れたユニット住宅の玄関コンポーネントを提供する。【解決手段】ユニット住宅において配置される。床部および天井部の大梁４間に簡易ポスト５を立設し、簡易ポスト５に床フレームおよび天井フレームを取付固定する。簡易ポスト５の上下端部に仕口部材を備え、これらの仕口部材を介して床フレームおよび天井フレームを取付固定する。床フレームおよび天井フレームは、床仕口ブラケット３を介して仕口部材に結合する。簡易ポスト５（床仕口６）は大梁４の所望位置に立設することができ、ユニットにおけるポストスパンに関係なく、自由な位置に設けることができる。【選択図】　　　　図３
2004052377.tif 000002
【特許請求の範囲】
【請求項１】
ユニット住宅において配置される玄関コンポーネントであって、
床部および天井部の大梁間に簡易ポストを立設し、この簡易ポストに床フレームおよび天井フレームを取付固定することを特徴とする玄関コンポーネント。
【請求項２】
前記簡易ポストの上下端部に仕口部材を有し、これらの仕口部材を介して前記床フレームおよび前記天井フレームを取付固定することを特徴とする、請求項１に記載の玄関コンポーネント。
【請求項３】
前記床フレームおよび前記天井フレームは、ブラケットを介して前記仕口部材に結合することを特徴とする、請求項２に記載の玄関コンポーネント。
【発明の詳細な説明】
【０００１】
【発明の属する技術分野】
本発明は、ユニット住宅において配置される玄関コンポーネントに関するものである。
【０００２】
【従来の技術】
ユニット住宅において、たとえば図４のように複数のユニット１を結合することで、住宅として構成するようになっている。ユニット１の大きさは通常、桁面寸法３２５０〜６２５０ｍｍ、妻面寸法２５００ｍｍである。ユニット１の各角部には柱（ポスト）２が立設され、玄関コンポーネント１０は図４あるいは図５に示すように、妻面側の２本のポスト２間に設定される。
【０００３】
ここで、図６は、玄関コンポーネント１０の取付構造を示している。玄関コンポーネント１０の設定時には、ポスト２の床仕口に予め専用の床仕口ブラケット３を付設している。そして、玄関コンポーネント１０の床フレーム１１をボルト（たとえば、サイズＭ１０の高力ボルト）１２で床仕口ブラケット３に締着固定する。また、天井側についても実質的に同様に天井フレームを締着固定するようにしている。
【０００４】
【発明が解決しようとする課題】
しかしながら、従来の玄関コンポーネント１０は、一定のポスト２間（この例では図４のように、妻面側の２本のポスト２間）に合わせた構成となっている。このため図４の点線で示すように、ポスト２間のスパンが異なる場合には玄関コンポーネント１０を設定することができず、ユニット住宅における玄関コンポーネント１０の配置位置が限定されざるを得なかった。
【０００５】
本発明は以上の点に鑑み、配置自由度を大幅に拡大することができ、施工性およびリフォーム性に優れたユニット住宅の玄関コンポーネントを提供することを目的とする。
【０００６】
【課題を解決するための手段】
本発明のユニット住宅の玄関コンポーネントは、ユニット住宅において配置される玄関コンポーネントであって、床部および天井部の大梁間に簡易ポストを立設し、この簡易ポストに床フレームおよび天井フレームを取付固定することを特徴とする。
【０００７】
本発明のユニット住宅の玄関コンポーネントは、好ましくは、前記簡易ポストの上下端部に仕口部材が備えられ、これらの仕口部材を介して前記床フレームおよび前記天井フレームが取り付けられて固定される。
【０００８】
また、本発明のユニット住宅の玄関コンポーネントは、前記床フレームおよび前記天井フレームが、好ましくは、ブラケットを介して前記仕口部材に結合される。
【０００９】
本発明によれば、床部および天井部の大梁間に簡易ポストを立設し、この簡易ポストに床フレームおよび天井フレームを取付固定する。簡易ポストは大梁の所望位置に立設することができ、すなわちユニットにおけるポストスパンに関係なく、自由な位置に設けることができる。したがって、玄関コンポーネントを自由な位置に設定することができる。
【００１０】
【発明の実施の形態】
以下、図面に基き、従来例と実質的に同一または対応する部材には同一符号を用いて、本発明によるユニット住宅の玄関コンポーネントの好適な実施の形態を説明する。
図１は本発明におけるユニット住宅の概略構成を示している。図示のように複数のユニット１を適宜に結合することで、住宅として構成される。この例でもユニット１の大きさは、桁面寸法３２５０〜６２５０ｍｍ、妻面寸法２５００ｍｍである。ユニット１の各角部にはポスト２が立設される。この実施形態では図１あるいは図２のように、桁面側に玄関コンポーネント１０が配置される。
【００１１】
図３は本発明の玄関コンポーネント１０の取付構造を示している。本発明では床部および天井部の大梁４間に簡易ポスト５を立設し、この簡易ポスト５に床フレームおよび天井フレームを取り付けて固定するものである。
【００１２】
簡易ポスト５の上下端部には仕口部材が設けられ、これらの仕口部材を介して床フレームおよび天井フレームが取り付け固定されるようになっている。図３では床仕口まわりが示されているが、簡易ポスト５の下端部に床仕口６が設けられる。床仕口６の両側にはブラケット７が突出形成されている。簡易ポスト５の床仕口６の前面部には床仕口ブラケット３が付設されている。
【００１３】
玄関コンポーネント１０を組み付ける場合、まず簡易ポスト５（床仕口６）はブラケット７を介して、ボルト８、たとえばサイズＭ１０の高力ボルトで大梁４に締着固定される。天井側についても実質的に同様に行なわれる。玄関コンポーネント１０の床フレーム１１はボルト１２（図６参照）で床仕口ブラケット３に締着固定される。また、天井側についても実質的に同様に天井フレームが締着固定される。
【００１４】
本発明では、このように床部および天井部の大梁４間に簡易ポスト５を立設して、この簡易ポスト５に床フレームおよび天井フレームを取り付けて固定する。簡易ポスト５は大梁４の所望位置に立設することができ、したがって、玄関コンポーネント１０を自由な位置に設定することができる。すなわちユニット１におけるポスト２間のスパンに関係なく、自由な位置に設けることができる。
【００１５】
以上本発明の好適な実施の形態について説明したが、本発明は実施形態にのみ限定されるものでなく、本発明の範囲内で適宜変更等が可能である。
たとえば玄関コンポーネント１０の配置位置は、図示例の場合にのみ限定されず、その他の所望位置に配置可能である。また、具体的数値例等は必要に応じて適宜変更可能である。
【００１６】
【発明の効果】
以上説明したように本発明によれば、この種のユニット住宅の玄関コンポーネントにおいて、玄関コンポーネントを自由な位置に設定することができ、設計プランに応じて好適な位置に配置することができる。また、住宅のリフォーム性を考慮すると、玄関だけでなく居室としても設定可能であり、応用範囲が極めて広い。さらに、玄関コンポーネントを後付けすることができ、施工性，リフォーム性に優れている等の利点を有する。
【図面の簡単な説明】
【図１】本発明の実施形態におけるユニット住宅の概略構成を示す平面図である。
【図２】本発明の実施形態における玄関コンポーネントの配置例を示す斜視図である。
【図３】本発明の実施形態における玄関コンポーネントの取付構造を示す図２のＢ部拡大図である。
【図４】従来のユニット住宅の概略構成を示す平面図である。
【図５】従来の玄関コンポーネントの配置例を示す斜視図である。
【図６】従来の玄関コンポーネントの取付構造を示す図５のＡ部拡大図である。
【符号の説明】
１　　　ユニット
２　　　ポスト
３　　　床仕口ブラケット
４　　　大梁
５　　　簡易ポスト
６　　　床仕口
７　　　ブラケット
１０　　玄関コンポーネント
１１　　床フレーム
【図１】
2004052377.tif 000003
【図２】
2004052377.tif 000004
【図３】
2004052377.tif 000005
【図４】
2004052377.tif 000006
【図５】
2004052377.tif 000007
【図６】
2004052377.tif 000008